(57)【要約】【課題】  内部に流入した被処理水を濾過して外部へ流出させるフィルタの洗浄に際し、逆洗水として使用する処理水の排出量の無駄を効果的に抑えることができるようにしたフィルタ洗浄機構を得る。【解決手段】  ケーシング１内に配置されたフィルタ２と、フィルタ２の軸心に回転可能に配置された汚水吸引管３と、フィルタ２の内周面に摺動自在に当接する掻き出し手段４を備え、汚水吸引管３に連通状態で支持され汚水吸引管３と一体に回転する逆洗口部５と、汚水吸引管３を回転させる回転手段６と、汚水吸引管３に接続し、汚水を外部へ排出する排出管７と、排出管７に備えた流量調整可能なバルブ８と、フィルタ２の一次側と二次側の差圧を検出する差圧検出手段２７と、差圧検出手段２７により検出された差圧に基づき排出管７に備えたバルブ８を制御し排出流量を調整する機能を有する制御手段２８を備えた。【選択図】  図１
2014104389.tif 000002
【特許請求の範囲】
【請求項１】
内部に流入した被処理水を濾過して外部へ流出させる円筒状のフィルタを備えた濾過器におけるフィルタ洗浄機構であって、ケーシング内に配置されたフィルタと、前記フィルタの軸心に回転可能に配置された汚水吸引管と、前記フィルタの内周面に摺動自在に当接する掻き出し手段を備え、前記汚水吸引管に連通状態で支持され前記汚水吸引管と一体に回転する逆洗口部と、前記汚水吸引管を回転させる回転手段と、前記汚水吸引管に接続し、汚水を外部へ排出する排出管と、前記排出管に備えた流量調整可能なバルブと、前記フィルタの一次側と二次側の差圧を検出する差圧検出手段と、差圧検出手段により検出された差圧に基づき前記排出管に備えた前記バルブを制御し排出流量を調整する機能を有する制御手段を備えたことを特徴とするフィルタ洗浄機構。
【請求項２】
前記制御手段は、差圧検出手段により検出された差圧に基づき前記排出管に備えた前記バルブの開時間を制御する制御機能を有することを特徴とする請求項１に記載のフィルタ洗浄機構。
【請求項３】
前記制御手段は、差圧検出手段により検出された差圧に基づき前記排出管に備えた前記バルブの動作時間または／および動作間隔を制御する制御機能を有することを特徴とする請求項１に記載のフィルタ洗浄機構。
【請求項４】
前記制御手段は、差圧検出手段により検出された差圧に基づき前記排出管に備えた前記バルブの開度を制御する制御機能を有することを特徴とする請求項１に記載のフィルタ洗浄機構。
【請求項５】
前記制御手段は、差圧検出手段により検出された差圧に基づき逆洗口部の回転数を制御する制御機能を有することを特徴とする請求項１乃至４のいずれか１に記載のフィルタ洗浄機構。
【発明の詳細な説明】
【技術分野】
【０００１】
本発明は、内部に流入した被処理水を濾過して外部へ流出させる円筒状のフィルタを備えた濾過器におけるフィルタ洗浄機構に関する。
【背景技術】
【０００２】
船舶に貯留されるバラスト水や、その他汚染物質を含んだ汚染水などの被処理水を濾過するものとして、内部に流入した被処理水を濾過して外部へ流出させる円筒状のフィルタを備えた濾過器がある。この濾過器で使用されるフィルタは、多数の穴を設けた金属薄板を円筒形に形成した支持体の内周面に金網などの濾過体を円筒状に設けた構成のものが知られている。
【０００３】
このように構成されるフィルタは、一方の開口部が被処理水入口となり、他方の開口部は閉鎖され、被処理水入口からフィルタ内側に流入した被処理水を内周面の濾過体を通過させ被処理水中の異物を捕捉することから、フィルタの内面に異物が堆積し、異物の堆積量が多くなるにつれフィルタの閉塞が進み、そのままにしておくと圧力損失が大きくなり、濾過流量が十分に得られなくなる。このような事態を防止するため、フィルタを洗浄して内面に堆積している異物を除去し、フィルタの濾過能力を維持する必要がある。
特に、船舶に貯留されるバラスト水では、フィルタと紫外線照射とによる処理方式でＬサイズ（５０μｍ以上）プランクトンに対してフィルタ単体で９９．９９％の除去性能が要求されているため、極小目開の金網などによる濾過体を必要としている。そのため、目詰まりが激しく、恒常的なフィルタの洗浄が重要とされている。
【０００４】
従来、フィルタの内面に堆積している異物を除去するものとして、濾過エレメントの中心に、軸方向内部に通路をもち、モータにより回転駆動される回転軸が回転自在に取り付けられ、この回転軸に、濾過エレメントの内周面に押し付けられるスクレーパが取り付けられ、回転軸の通路には、モータが動作している間開く電動ボールバルブを備えた第２通路が接続された洗滌式濾過機がある（例えば、特許文献１参照。）。
【０００５】
このように構成された洗滌式濾過機による濾過エレメントの洗滌は、スクレーパを回転させるモータにタイマを設けて定期的に回転させるとともに、所定時間の経過後自動停止するようにして、濾過エレメントの内周面に付着したスラッジをスクレーパで掻き落とし、掻き落としたスラッジを回転軸の内部の通路を通し、この通路に接続する第２通路から電動ボールバルブを介して排出するように行われる。
【先行技術文献】
【特許文献】
【０００６】
【特許文献１】特公平７−５９２８７号公報
【発明の概要】
【発明が解決しようとする課題】
【０００７】
上記の特許文献１記載された洗滌式濾過機は、掻き落としたスラッジは、第２通路から電動ボールバルブを介して排出されるが、電動ボールバルブはモータが動作している間開くようになっており、モータの動作に予め設定された所定時間、常に一定量の処理水が逆洗水として使用され汚水として排出されることになる。
この結果、洗浄運転の進行により濾過エレメントへのスラッジの付着が少なくなり、或いは目詰まりが解消され、圧力損失が小さくなり、濾過流量が得られるようになっても一定量の処理水が汚水として排出されることから、処理水が無駄に使用されるといった問題がある。
特に、船舶に貯留されるバラスト水の濾過では、極小目開の金網などによる濾過体を必要としているため、目詰まりが激しく恒常的な洗浄が重要とされているが、恒常的な洗浄を行うと、洗浄運転中、常に一定量の処理水を逆洗水として使用し汚水として排出することになるので、処理水の無駄が一層大きいものとなる。
【０００８】
本発明の目的は、内部に流入した被処理水を濾過して外部へ流出させるフィルタの洗浄に際し、逆洗水として使用する処理水の排出量の無駄を効果的に抑えることができるようにしたフィルタ洗浄機構を提供することにある。
【課題を解決するための手段】
【０００９】
上記の目的を達成するために、請求項１に記載の発明は、内部に流入した被処理水を濾過して外部へ流出させる円筒状のフィルタを備えた濾過器におけるフィルタ洗浄機構であって、ケーシング内に配置されたフィルタと、前記フィルタの軸心に回転可能に配置された汚水吸引管と、前記フィルタの内周面に摺動自在に当接する掻き出し手段を備え、前記汚水吸引管に連通状態で支持され前記汚水吸引管と一体に回転する逆洗口部と、前記汚水吸引管を回転させる回転手段と、前記汚水吸引管に接続し、汚水を外部へ排出する排出管と、前記排出管に備えた流量調整可能なバルブと、前記フィルタの一次側と二次側の差圧を検出する差圧検出手段と、差圧検出手段により検出された差圧に基づき前記排出管に備えた前記バルブを制御し排出流量を調整する機能を有する制御手段を備えたことを特徴としているフィルタ洗浄機構である。
【００１０】
請求項１に記載の発明によれば、前記差圧検出手段により検出された前記フィルタの一次側と二次側の差圧で前記フィルタへ堆積した異物の堆積程度（以下、汚れ具合という。）を判断することができ、前記差圧に基づいて前記バルブを制御し排出流量を調整することにより、前記フィルタの汚れ具合に応じて汚水の排出量を調整することができるので、逆洗水として使用する処理水の排出量の無駄を効果的に抑えることができる。
【００１１】
請求項２に記載の発明は、前記制御手段は、差圧検出手段により検出された差圧に基づき前記排出管に備えた前記バルブの開時間を制御する制御機能を有することを特徴としている請求項１に記載のフィルタ洗浄機構である。
【００１２】
請求項２に記載の発明によれば、前記差圧に基づいて前記バルブの開時間を制御することにより、前記フィルタの汚れ具合に応じて汚水の排出量を調整することができるので、逆洗水として使用する処理水の排出量の無駄を効果的に抑えることができる。
【００１３】
請求項３に記載の発明は、前記制御手段は、差圧検出手段により検出された差圧に基づき前記排出管に備えた前記バルブの動作時間または／および動作間隔を制御する制御機能を有することを特徴としている請求項１に記載のフィルタ洗浄機構である。
【００１４】
請求項３に記載の発明によれば、前記差圧に基づいて前記バルブの動作時間または／および動作間隔を制御することにより、前記フィルタの汚れ具合に応じて汚水の排出量を調整することができるので、逆洗水として使用する処理水の排出量の無駄を効果的に抑えることができる。
【００１５】
請求項４に記載の発明は、前記制御手段は、差圧検出手段により検出された差圧に基づき前記排出管に備えた前記バルブの開度を制御する制御機能を有することを特徴としている請求項１に記載のフィルタ洗浄機構である。
【００１６】
請求項４に記載の発明によれば、前記差圧に基づいて前記バルブの開度を制御することにより、前記フィルタの汚れ具合に応じて汚水の排出量を調整することができるので、逆洗水として使用する処理水の排出量の無駄を効果的に抑えることができる。
【００１７】
請求項５に記載の発明は、前記制御手段は、差圧検出手段により検出された差圧に基づき逆洗口部の回転数を制御する制御機能を有することを特徴としている請求項１乃至４のいずれか１に記載のフィルタ洗浄機構である。
【００１８】
請求項５に記載の発明によれば、前記差圧検出手段により検出された前記フィルタの一次側と二次側の差圧で前記フィルタの濾過流量を確認し前記フィルタの汚れ具合を判断することができ、前記差圧に基づいて逆洗口部の回転数を制御することにより、前記フィルタの汚れ具合に応じて前記逆洗口部を回転させることができるので、単位時間あたりの掻き出し長を変えることができ、前記フィルタの内周面に堆積している異物の量に応じた異物の掻き出しと排出を行うことができる。
【発明の効果】
【００１９】
本発明に係るフィルタ洗浄機構によれば、差圧検出手段により検出されたフィルタの一次側と二次側の差圧でフィルタの汚れ具合を判断することができ、差圧に基づいて排出流量を制御するようにしたので、逆洗水として使用する処理水の排出量の無駄を効果的に抑えることができる。
【図面の簡単な説明】
【００２０】
【図１】本発明に係るフィルタ洗浄機構の実施の形態の一例を示す概略断面図である。
【図２】図１に示す逆洗口部の拡大断面図である。
【図３】バルブの動作時間と排出量との関係を示すグラフである。
【図４】バルブの動作間隔と排出量との関係を示すグラフである。
【発明を実施するための形態】
【００２１】
以下、本発明に係るフィルタ洗浄機構の実施の形態の一例を図面を参照して詳細に説明する。
まず、本発明に係るフィルタ洗浄機構の実施の形態の第１例を図１乃至図３により説明する。図１は本例の概略断面図、図２は図１に示す逆洗口部の拡大断面図である。
【００２２】
本例のフィルタ洗浄機構は、円筒状のケーシング１内に配置され、、内部に流入した被処理水を濾過して外部へ流出させる円筒状のフィルタ２と、フィルタ２の軸心に回転可能に配置された汚水吸引管３と、フィルタ２の内周面に摺動自在に当接する掻き出し手段４を備え、汚水吸引管３に連通状態で支持され汚水吸引管３と一体に回転する逆洗口部５と、汚水吸引管３を回転させる回転手段６と、汚水吸引管３に接続し、汚水を外部へ排出する排出管７と、排出管７に備えた流量調整可能なバルブ８とで構成されている。
【００２３】
詳細には、ケーシング１は、円筒状に形成され、上部開口部が蓋部９で、下部開口部が底部１０で密閉されている。ケーシング１の内周上部には、フィルタ２の上端部外周を密に支持する環状支持部１１が設けられ、また、ケーシング１の内周下部には、フィルタ２の下端部外周を密に支持する環状支持部１２が設けられている。本例では、環状支持部１２は底部１０の上面に設けられている。
【００２４】
ケーシング１内に配置されるフィルタ２は、本例では、多数の穴を設けた金属薄板を円筒形に形成した支持体の内周面に金網などの濾過体を円筒状に設けた構成となっており、その上端部外周には、環状支持部１１に嵌合する鍔部１３が設けられ、下端部外周には、環状支持部１２に嵌合する鍔部１４が設けられている。
そして、ケーシング１内に配置されたフィルタ２は、その上端部外周に設けられた鍔部１３がケーシング１の内周上部に設けられた環状支持部１１にシールリング１５を介して密に嵌合し、下端部外周に設けられた鍔部１４がケーシング１の内周下部に設けられた環状支持部１２にシールリング１６を介して密に嵌合して支持されている。
【００２５】
フィルタ２が内部に配置されたケーシング１は、その内部がフィルタ２で仕切られ、ケーシング１の上部にフィルタ２の開口部と連通する被処理水導入空間１７が形成され、フィルタ２の外側に処理水流出空間１８が形成されている。そして、ケーシング１の上部には被処理水導入空間１７と連通する被処理水導入口１９が設けられ、ケーシング１の側部には処理水流出空間１８と連通する処理水流出口２０が設けられている。
【００２６】
フィルタ２の軸心に回転可能に配置された汚水吸引管３は上端部が閉鎖し、下端部が開口しており、ケーシング１の蓋部９と底部１０に、液密に且つ回転可能に貫通して支持され、回転手段６で回転駆動するようになっている。本例では、回転手段６としてモータが使用されている。
【００２７】
また、フィルタ２の内周面に摺動自在に当接する掻き出し手段４を備え、汚水吸引管３に連通状態で支持され汚水吸引管３と一体に回転する逆洗口部５は、汚水吸引管３から直交してフィルタ２方向へ突出したノズル管２１の先端に掻き出し手段４を備えた構成となっている。
本例では、掻き出し手段４は、ノズル管２１の先端に設けられ、フィルタ２の内面に対向した位置でフィルタ２に向かってフィルタ２の軸方向全域に開口する縦長状の口部２２と、口部２２の開口側に設けられ、フィルタ２の軸方向全域に当接するスクレーパ２３とで構成されている。ノズル管２１の先端は口部２２に開口している。
このように構成された逆洗口部５にあっては、本例では２つの逆洗口部５がフィルタ２の軸方向に重なってフィルタ２の軸方向全域に当接するように汚水吸引管３に配置されて支持されているが、汚水吸引管３に支持される逆洗口部５は１つでもよく、あるいは３つ以上であってもよい。
【００２８】
また、汚水を外部へ排出する排出管７は、ケーシング１の底部１０を貫通してケーシング１の外に突出している汚水吸引管３の開口端に、汚水吸引管３の回転を可能にする管継手２４を介して接続されている。
また、排出管７に備えた流量調整可能なバルブ８は、流量調整可能であれば特に限定されないが、本例では、後述する制御手段により流量調整可なバルブ８が使用される。
【００２９】
さらに、本例では、フィルタ２の被処理水導入空間１７と処理水流出空間１８に、フィルタ２の一次側と二次側の圧力を圧力センサ２５，２６で検知し、フィルタ２の一次側と二次側の差圧を検出する差圧検出手段２７と、差圧検出手段２７により検出された差圧に基づき排出管７に備えたバルブ８の開時間を制御し汚水の排出流量を調整する制御機能を有する制御手段２８が備えられている。
フィルタ２の一次側と二次側の差圧はフィルタ２の汚れ具合を判断でき、差圧が大きい場合はフィルタ２への異物の堆積量が多くなっていることを示し、差圧が小さい場合はフィルタ２が初期状態にあることを示している。また、制御手段２８には、初期差圧が記憶され、初期差圧に対して、許容される差圧が設定（ΔＰ１）され、ΔＰ１以上で何段階かに差圧が設定されており、その差圧レベルに応じてバルブ８の開時間を変更する。差圧がΔＰ１を超えた範囲で、差圧が大きい場合はバルブ８の開時間を長くし、差圧が小さい場合はバルブ８の開時間を短くし、差圧がΔＰ１以下に戻ればバルブ８を閉じるようにプログラムされている。
【００３０】
このように構成されたフィルタ洗浄機構では、濾過器の運転中、圧力センサ２５，２６でフィルタ２の一次側と二次側の圧力が常に検知され、差圧検出手段２７によりその差圧が検出されて制御手段２８に送信される。制御手段２８は、差圧検出手段２７で検出されたフィルタ２の一次側と二次側の差圧に基づいて、検出した差圧を予め設定されている差圧レベルに対応させ、バルブ８の開時間を対応する差圧レベルに応じたバルブ８の開時間に変更するといった具合にバルブ８の開時間の調整を行う。
【００３１】
バルブ８を開くとバルブ８の二次側の圧力は大気圧に開放されるので、バルブ８を開くことで汚水吸引管３内の圧力がフィルタ２の二次側の圧力よりも低くなり、フィルタ２の二次側にある処理水が汚水吸引管３内に流れる。フィルタ２の二次側から汚水吸引管３内に流れる処理水の流量はバルブ８の開時間と比例し、制御手段２８で調整されたバルブ８の開時間に応じた流量の処理水が汚水吸引管３内に流れる。
【００３２】
本例では、差圧検出手段２７により検出された差圧がΔＰ１を超えた範囲で、差圧が大きい場合はバルブ８の開時間を長くし、差圧が小さい場合はバルブ８の開時間を短くし、差圧がΔＰ１以下に戻ればバルブ８を閉じるように、検出された差圧に応じてバルブ８の開時間の調整を行うので、フィルタ２の内周面に堆積している異物の量が多い場合はバルブ８の開時間が長くなり、スクレーパ２３で掻き出した多量の異物を含んだ汚水を大量に排出でき、そして、少ない場合はバルブ８の開時間が短くなって排出量が少なくなり、差圧がΔＰ１以下に戻ったらバルブ８が閉じて排出が停止される。
【００３３】
このように、本例のフィルタ洗浄機構によれば、フィルタ２の内周面に堆積している異物の量に応じて、多い場合は汚水を大量に排出することで洗浄効果を高めることができ、そして、少ない場合はバルブ８の開時間を短くすることにより汚水の排出量を少なくし、さらに少ない場合にはバルブ８を閉じることにより汚水の排出を停止することで逆洗水として使用する処理水の排出量の無駄を効果的に抑えることができる。
【００３４】
つぎに、本発明に係るフィルタ洗浄機構の実施の形態の第２例を説明する。
本例のフィルタ洗浄機構は、基本構成が第１例と同じであり、異なる点は制御手段だけなので、基本構成にあっては第１例の概略断面図を示す図１を援用し、制御手段について説明する。
【００３５】
本例に備えられた制御手段２９は、差圧検出手段２７により検出された差圧に基づき、排出管７に備えたバルブ８の動作時間を制御する制御機能を有している。
バルブ８の動作時間とは、バルブ８が全閉から全開、および全開から全閉に至る時間である。バルブ８が全開になっている時間を一定にしてバルブ８の動作時間を長くすると排出管７から外部に排出される汚水の排出量は多くなる。一方、バルブ８の動作時間を短くすると排出管７から外部に排出される汚水の排出量は少なくなる。
図３は、バルブ８の全開時間が一定のときの、バルブ８の動作時間と排出量との関係を示すグラフであり、ラインＬ１は動作時間が長い場合を例示し、ラインＬ２は動作時間が短い場合を例示している。
バルブ８からの排出量はそれぞれのラインＬ１、Ｌ２で囲まれる面積に相当する。
【００３６】
本例の制御手段２９には、初期差圧が記憶され、初期差圧に対して、許容される差圧が設定（ΔＰ１）され、ΔＰ１以上で何段階かに差圧が設定されており、その差圧レベルに応じてバルブ８の動作時間を変更し、差圧がΔＰ１を超えた範囲で、差圧が大きい場合はバルブ８の動作時間を長くし、差圧が小さい場合はバルブ８の動作時間を短くし、差圧がΔＰ１以下に戻ればバルブ８を閉じるようにプログラムされている。
【００３７】
このように構成された本例のフィルタ洗浄機構では、濾過器の運転中、圧力センサ２５，２６でフィルタ２の一次側と二次側の圧力を常に検知し、差圧検出手段２７により検出された差圧がΔＰ１を超えた範囲で、差圧が大きい場合はバルブ８の動作時間を長くし、差圧が小さい場合はバルブ８の動作時間を短くし、差圧がΔＰ１以下に戻ればバルブ８を閉じるように、検出された差圧に応じてバルブ８の動作時間の調整を行うことになるので、フィルタ２の内周面に堆積している異物の量が多い場合はバルブ８の動作時間が長くなり、スクレーパ２３で掻き出した多量の異物を含んだ汚水が大量に排出され、そして、少ない場合はバルブ８の動作時間が短くなって排出量が少なくなり、差圧がΔＰ１以下に戻ったらバルブ８が閉じて排出が停止される。
【００３８】
このように、本例のフィルタ洗浄機構によれば、バルブ８の動作時間の調整により、フィルタ２の内周面に堆積している異物の量に応じて、多い場合はバルブ８の動作時間を長くして汚水を大量に排出することで洗浄効果を高めることができ、そして、少ない場合はバルブ８の動作時間を短くして汚水の排出量を少なくし、さらに少ない場合にはバルブ８を閉じることにより汚水の排出を停止することで逆洗水として使用する処理水の排出量の無駄を効果的に抑えることができる。
【００３９】
つぎに、本発明に係るフィルタ洗浄機構の実施の形態の第３例を説明する。
本例のフィルタ洗浄機構は、基本構成が第１例と同じであり、異なる点は制御手段だけなので、基本構成にあっては第１例の概略断面図を示す図１を援用し、制御手段について説明する。
【００４０】
本例に備えられた制御手段３０は、差圧検出手段２７により検出された差圧に基づき、排出管７に備えたバルブ８の動作間隔を制御する制御機能を有している。
バルブ８の動作間隔とは、バルブ８の全閉から全開となり再び全閉となる動作を繰り返す間隔をいい、全閉から全開、全開から全閉までの動作時間と全開時間を一定にして、バルブ８の動作間隔を短くすると排出管７から外部に排出される汚水の排出量は多くなり、バルブ８の動作間隔を長くすると排出管７から外部に排出される汚水の排出量は少なくなる。
図４は、動作間隔と排出量との関係を示すグラフであり、（Ａ）動作間隔が短い場合を例示し、（Ｂ）は動作間隔が長い場合を例示している。
【００４１】
本例の制御手段３０には、初期差圧が記憶され、初期差圧に対して、許容される差圧が設定（ΔＰ１）され、ΔＰ１以上で何段階かに差圧が設定されており、その差圧レベルに応じてバルブ８の動作間隔を変更し、差圧がΔＰ１を超えた範囲で、差圧が大きい場合はバルブ８の動作間隔を短く、差圧が小さい場合はバルブ８の動作間隔を長く、差圧がΔＰ１以下に戻ればバルブ８を閉じるようにプログラムされている。
【００４２】
このように構成された本例のフィルタ洗浄機構では、濾過器の運転中、圧力センサ２５，２６でフィルタ２の一次側と二次側の圧力を常に検知し、差圧検出手段２７により検出された差圧がΔＰ１を超えた範囲で、差圧が大きい場合はバルブ８の動作間隔を短くし、差圧が小さい場合はバルブ８の動作間隔を長くし、差圧がΔＰ１以下に戻ればバルブ８を閉じるように、検出された差圧に応じてバルブ８の動作時間の調整を行うので、フィルタ２の内周面に堆積している異物の量が多い場合はバルブ８の動作間隔が短くなり、スクレーパ２３で掻き出した多量の異物を含んだ汚水が短時間で大量に排出され、そして、少ない場合はバルブ８の動作間隔が長くなって排出量が少なくなり、差圧がΔＰ１以下に戻ったらバルブ８が閉じて排出が停止される。
【００４３】
このように、本例のフィルタ洗浄機構によれば、フィルタ２の内周面に堆積している異物の量に応じて、多い場合はバルブ８の動作間隔を短くして汚水を大量に排出することで洗浄効果を高めることができ、そして、少ない場合はバルブ８の動作間隔を短くして汚水の排出量を少なくし、さらに少ない場合にはバルブ８を閉じることにより汚水の排出を停止することで逆洗水として使用する処理水の排出量の無駄を効果的に抑えることができる。
【００４４】
なお、本例に備えられた制御手段３０では、フィルタ２の一次側と二次側との差圧に基づき、バルブ８の全閉から全開までの時間を短くして、かつ動作間隔を短くし、また、バルブ８の全閉から全開、および全開から全閉までの時間を長くして、かつ動作間隔を長くするというプログラムとすることもできる。
【００４５】
つぎに、本発明に係るフィルタ洗浄機構の実施の形態の第４例を説明する。
本例のフィルタ洗浄機構は、基本構成が第１例と同じであり、異なる点は制御手段だけなので、基本構成にあっては第１例の概略断面図を示す図１を援用し、制御手段について説明する。
【００４６】
本例に備えられた制御手段３１は、差圧検出手段２７により検出された差圧に基づき、排出管７に備えたバルブ８の開度を制御する制御機能を有している。
本例の制御手段３１には、初期差圧が記憶され、初期差圧に対して、許容される差圧が設定（ΔＰ１）され、ΔＰ１以上で何段階かに差圧が設定されており、初期差圧が記憶され、初期差圧に対して、許容される差圧が設定（ΔＰ１）され、ΔＰ１以上で何段階かに差圧が設定されており、その差圧レベルに応じてバルブ８の開度を変更し、差圧がΔＰ１を超えた範囲で、差圧が大きい場合はバルブ８の開度を大きくし、差圧が小さい場合はバルブ８の開度を小さく、差圧がΔＰ１以下に戻ればバルブ８を閉じるようにプログラムされている。
【００４７】
このように構成された本例のフィルタ洗浄機構では、濾過器の運転中、圧力センサ２５，２６でフィルタ２の一次側と二次側の圧力を常に検知し、差圧検出手段２７により検出された差圧がΔＰ１を超えた範囲で、差圧が大きい場合はバルブ８の開度を大きくし、差圧が小さい場合はバルブ８の開度を小さく、差圧がΔＰ１以下に戻ればバルブ８を閉じるように、検出された差圧に応じてバルブ８の開度の調整を行うので、フィルタ２の内周面に堆積している異物の量が多い場合はバルブ８の開度が大きくなり単位時間あたりの流量が多くなることから、スクレーパ２３で掻き出した多量の異物を含んだ汚水が大量に排出され、そして、少ない場合はバルブ８の開度が小さくなり単位時間あたりの流量が少なくなることから排出量が少なくなり、差圧がΔＰ１以下に戻ったらバルブ８が閉じて排出が停止される。
【００４８】
このように、本例のフィルタ洗浄機構によれば、バルブ８の開度の調整により、フィルタ２の内周面に堆積している異物の量に応じて、多い場合はバルブ８の開度を大きくして汚水を短時間で大量に排出することで洗浄効果を高めることができ、そして、少ない場合はバルブ８の開度を小さくして汚水の排出量を少なくし、さらに少ない場合にはバルブ８を閉じることにより汚水の排出を停止することで逆洗水として使用する処理水の排出量の無駄を効果的に抑えることができる。
【００４９】
つぎに、本発明に係るフィルタ洗浄機構の実施の形態の第５例を説明する。
本例のフィルタ洗浄機構は、基本構成が第１例と同じであり、異なる点は制御手段だけなので、基本構成にあっては第１例の概略断面図を示す図１を援用し、制御手段について説明する。
本例に備えられた制御手段３２には、前記第１例、第２例、第３例あるいは第４例の制御手段２８，２９，３０，３１が有する制御機構とともに、差圧検出手段２７により検出された差圧に基づき、回転手段６であるモータを制御して、逆洗口部５の回転数を制御する制御機能を有している。
【００５０】
本例の制御手段３２には、初期差圧が記憶され、初期差圧に対して、許容される差圧が設定（ΔＰ１）され、ΔＰ１以上で何段階かに差圧が設定されており、その差圧レベルに応じてバルブ８の逆洗口部５の回転数を変更し、差圧がΔＰ１を超えた範囲で、差圧が大きい場合は逆洗口部５の回転数を多くし、差圧が小さい場合は逆洗口部５の回転数を少なくし、差圧がΔＰ１以下に戻れば逆洗口部５の回転をさらに少なくするようにプログラムされている。
【００５１】
このように構成された本例のフィルタ洗浄機構では、濾過器の運転中、圧力センサ２５，２６でフィルタ２の一次側と二次側の圧力を常に検知し、差圧検出手段２７により検出された差圧がΔＰ１を超えた範囲で、差圧が大きい場合は逆洗口部５の回転数を多くし、差圧が小さい場合は逆洗口部５の回転数を少なくし、差圧がΔＰ１以下に戻れば逆洗口部５の回転をさらに少なくするように、検出された差圧に応じて逆洗口部５の回転数の調整を行う。詳細には、フィルタ２の内周面に堆積している異物の量が多い場合は逆洗口部５の回転数を多くし、少ない場合は逆洗口部５の回転数を少なくし、差圧がΔＰ１以下に戻ったら逆洗口部５の回転をさらに少なくするので、フィルタ２の内周面に堆積している異物の量に応じて、異物が効率よく掻き出される。
【００５２】
このように、本例のフィルタ洗浄機構によれば、逆洗口部５の回転数の制御により、フィルタ２の内周面に堆積している異物の量に応じて、単位時間あたりの掻き出し長を変えることができるので、フィルタ２の内周面に堆積している異物の量に応じて、異物を効率よく掻き出すことができる。
【００５３】
なお、本発明に係るフィルタ洗浄機構の第１例に備えられた制御手段２８は、バルブ８の開時間を制御する制御機能を有し、第２例に備えられた制御手段２９は、バルブ８の動作時間を制御する制御機能を有し、第３例に備えられた制御手段３０は、バルブ８の動作間隔を制御する制御機能を有し、第４例に備えられた制御手段３１は、バルブ８の開度を制御する制御機能を有し、第５例に備えられた制御手段３２は、逆洗口部５の回転数を制御する制御機能を有しているが、第１例〜第５例の制御機能を適宜組み合わせて、バルブ８や逆洗口部５を制御するようにすることもできる。
【符号の説明】
【００５４】
１  ケーシング
２  フィルタ
３  汚水吸引管
４  掻き出し手段
５  逆洗口部
６  回転手段
７  排出管
８  バルブ
９  蓋部
１０  底部
１１、１２  環状支持部
１３、１４  鍔部
１５、１６  シールリング
１７  被処理水導入空間
１８  処理水流出空間
１９  被処理水導入口
２０  処理水流出口
２１  ノズル管
２２  口部
２３  スクレーパ
２４  管継手
２５、２６  圧力センサ
２７  差圧検出手段
２８、２９、３０、３１、３２  制御手段
【図１】
2014104389.tif 000003
【図２】
2014104389.tif 000004
【図３】
2014104389.tif 000005
【図４】
2014104389.tif 000006